(57)【要約】【課題】施錠を行う際に新たな解錠符号の設定がなされずに操作摘みの閉操作がなされることを抑制できるプッシュボタン錠を提供する。【解決手段】プッシュボタン錠は、操作摘みと、操作用ロッドと、操作摘みおよびストッパーと一体の回動部材と、操作用ロッドのスライド方向と直交する方向にスライド自在に設けられた第１プレートと、第１プレート部材の収容孔に収容されて操作用ロッドに装着される可動体と、施錠状態における操作摘みの開操作を規制する第１規制手段と、回動部材および第１プレートの間に介在すると共に操作摘みの操作に連動して第１プレートの位置を切り替える第１プレート制御手段と、解錠状態における操作摘みの閉操作を規制可能であって操作摘みが開位置にある状態で何れかの操作用ロッドがクリア位置から押込み位置に変位した場合に操作摘みの閉操作の規制を解除する第２規制手段を備える。【選択図】図１
2018096176.tif 000002
【特許請求の範囲】
【請求項１】
複数の押しボタンが出没可能に取り付けられたハウジングと、
前記ハウジングに取り付けられ、施錠対象物の相手側部材に係脱可能なストッパーの姿勢を変更可能な操作摘みと、
前記押しボタンの出没方向へスライド自在かつ前記押しボタンの各々に対応して前記ハウジングに設けられ、対応する前記押しボタンが押動された際に前記ハウジング内に押し込まれることでクリア位置から押込み位置へと変位する複数の操作用ロッドと、
前記操作摘みおよび前記ストッパーと一体に設けられ、当該操作摘みの操作に連動して前記操作用ロッドのスライド方向と平行な回動軸を中心として回動自在な回動部材と、
前記ハウジング内に収容され、前記操作用ロッドのスライド方向と直交する方向にスライド自在に設けられた第１プレートと、
前記第１プレートに形成された収容孔に収容され、前記操作用ロッドの各々に装着されると共に当該操作用ロッドに連動して前記収容孔内をスライド自在とし、かつ、前記操作用ロッドの軸方向のうち所定の第１保持位置と当該第１保持位置よりも前記押しボタンに近接した第２保持位置へと選択的に付け替え可能な可動体と、
施錠状態における前記操作摘みの開操作を規制可能であって、前記可動体が前記第１保持位置に装着されている操作用ロッドの全てが前記クリア位置にあり、かつ、前記可動体が前記第２保持位置に装着されている操作用ロッドの全てが前記押込み位置にあるときに前記操作摘みの開操作の規制を解除する第１規制手段と、
前記回動部材および前記第１プレートの間に介在すると共に前記操作摘みの操作に連動して前記第１プレートの位置を前記可動体が前記操作用ロッドに装着された状態に維持される第１基準位置と前記可動体が前記操作用ロッドから離脱した状態に維持される離脱位置との何れかに切り替える第１プレート制御手段であって、前記操作摘みの開操作時に前記第１プレートを前記第１基準位置から前記離脱位置に切り替えると共に前記操作摘みの閉操作時に前記第１プレートを前記離脱位置から前記第１基準位置に切り替える第１プレート制御手段と、
解錠状態における前記操作摘みの閉操作を規制可能であって、前記操作摘みが開位置にある状態で何れかの前記操作用ロッドが前記クリア位置から前記押込み位置に変位した場合に前記操作摘みの閉操作の規制を解除する第２規制手段と、
を備える、プッシュボタン錠。
【請求項２】
前記第２規制手段は、
前記ハウジング内に前記第１プレートと平行に収容されると共に前記操作用ロッドのスライド方向と直交する方向に前記第１プレートと独立してスライド自在に設けられ、前記操作摘みが開位置にある状態で何れかの前記操作用ロッドが前記クリア位置から前記押込み位置に変位した時に、所定の第２基準位置から所定の施錠規制解除位置に変位する第２プレートと、
前記回動部材および前記第２プレートの間に介在し、前記第２プレートが前記第２基準位置にある時に前記回動部材を係止することで当該回動部材が前記操作摘みの閉操作に対応する閉方向に回動することを規制し、前記第２プレートが前記施錠規制解除位置にある時に前記回動部材における閉方向への回動の規制を解除する係止部材と、
を含む
請求項１に記載のプッシュボタン錠。
【請求項３】
前記操作用ロッドにおける前記押しボタンと反対側に位置する方の端部には、当該操作用ロッドの軸方向に対して傾斜した傾斜面が形成されており、
前記第２プレートには、複数の傾斜突部が前記操作用ロッド毎に対応して突設されており、
前記クリア位置から前記押込み位置に変位した前記操作用ロッドの前記傾斜面と前記傾
斜突部が衝突することで、前記第２プレートが前記第２基準位置から前記施錠規制解除位置に変位する
請求項２に記載のプッシュボタン錠。
【請求項４】
前記ハウジング内に前記第２プレートと平行に収容されると共に前記操作用ロッドのスライド方向と直交する方向に前記第２プレートと独立してスライド自在に設けられ、前記操作用ロッドが前記押込み位置に変位した際に当該操作用ロッドに形成された被係合部と係合可能な係合部が立設された第３プレートと、
前記操作摘みが開操作および閉操作されることに連動して前記係合部と前記被係合部との係合を解除させることによって、前記操作用ロッドを前記押込み位置から前記クリア位置に戻すリセット手段と、
をさらに備え、
前記第２プレートは前記第３プレートの背面側に配設されると共に、前記第３プレートには前記２プレートに立設された前記傾斜突部を挿通することで当該傾斜突部を前記操作用ロッドの前記傾斜面に案内する案内孔が設けられている
請求項３に記載のプッシュボタン錠。
【請求項５】
前記第３プレートは、所定の第３基準位置から所定のリセット位置に変位した時に前記係合部における前記被係合部との係合を解除し、
前記回動部材の外周面には、当該回動部材の周方向に沿って離間した状態で並んで配置される第１凹部および第２凹部が形成されており、
前記第３プレートは、前記回動部材の回動位置に応じて、前記第１凹部および前記第２凹部に選択的に受け入れられる凸部を含むリセット用アームを有し、
前記凸部が前記第１凹部および前記第２凹部の何れかに受け入れられているときには前記第３基準位置に位置し、前記操作摘みの開操作又は閉操作に連動して前記凸部の受け入れ先が前記第１凹部および前記第２凹部の間で切り替わる過程において前記第１凹部および前記第２凹部の間に位置する外周領域に前記凸部が乗り上げることで前記第３基準位置から前記リセット位置に変位する
請求項４に記載のプッシュボタン錠。
【発明の詳細な説明】
【技術分野】
【０００１】
本発明は、プッシュボタン錠に関する。
【背景技術】
【０００２】
従来、ドアや扉等の施錠対象物を施錠する錠前装置において、鍵を使用せず、押しボタンを用いた解錠符号入力式のプッシュボタン錠が広く知られている。この種のプッシュボタン錠は、機械的手法により施解錠を行うため、いわゆる電子錠に比べて、配線が不要で、メンテナンスの軽減を図ることができるなどの利点がある。
【０００３】
プッシュボタン錠として、解錠符号（解錠番号、暗証番号）を任意に設定するための解錠符号変更機構を備えたものが知られている。例えば、特許文献１には、解錠符号を再設定するまでは同一の解錠符号を用いて施錠・解錠を行うことができる固定方式を採用したプッシュボタン錠が開示されている。
【０００４】
また、解錠符号変更機構を備えたプッシュボタン錠として、施錠を行う度に、解錠符号を変更可能なワンタイム方式のプッシュボタン錠が知られている。このようなワンタイム方式のプッシュボタン錠は、不特定多数の利用者が利用する施設のロッカー、貴重品ボックス等を施錠する場合に特に適している。
【先行技術文献】
【特許文献】
【０００５】
【特許文献１】特開２０１４−１２９６７８号公報
【発明の概要】
【発明が解決しようとする課題】
【０００６】
ところで、従来におけるワンタイム方式のプッシュボタン錠は、施錠を行う際に新たな解錠符号を設定するためのボタンを使用者が押したつもりでも正しく押し込みが行われなかった場合や、ボタンの押し忘れがあった場合、内部機構的に正しく施錠されないという懸念があった。
【０００７】
本発明は、上記実情に鑑みてなされたものであり、その目的は、施錠を行う際に新たな解錠符号の設定がなされずに操作摘みの閉操作がなされることを抑制できるプッシュボタン錠を提供することにある。
【課題を解決するための手段】
【０００８】
上記目的を達成するための本発明は、以下の手段を採用した。すなわち、本発明に係るプッシュボタン錠は、複数の押しボタンが出没可能に取り付けられたハウジングと、前記ハウジングに取り付けられ、施錠対象物の相手側部材に係脱可能なストッパーの姿勢を変更可能な操作摘みと、前記押しボタンの出没方向へスライド自在かつ前記押しボタンの各々に対応して前記ハウジングに設けられ、対応する前記押しボタンが押動された際に前記ハウジング内に押し込まれることでクリア位置から押込み位置へと変位する複数の操作用ロッドと、前記操作摘みおよび前記ストッパーと一体に設けられ、当該操作摘みの操作に連動して前記操作用ロッドのスライド方向と平行な回動軸を中心として回動自在な回動部材と、前記ハウジング内に収容され、前記操作用ロッドのスライド方向と直交する方向にスライド自在に設けられた第１プレートと、前記第１プレートに形成された収容孔に収容され、前記操作用ロッドの各々に装着されると共に当該操作用ロッドに連動して前記収容孔内をスライド自在とし、かつ、前記操作用ロッドの軸方向のうち所定の第１保持位置と
当該第１保持位置よりも前記押しボタンに近接した第２保持位置へと選択的に付け替え可能な可動体と、施錠状態における前記操作摘みの開操作を規制可能であって、前記可動体が前記第１保持位置に装着されている操作用ロッドの全てが前記クリア位置にあり、かつ、前記可動体が前記第２保持位置に装着されている操作用ロッドの全てが前記押込み位置にあるときに前記操作摘みの開操作の規制を解除する第１規制手段と、前記回動部材および前記第１プレートの間に介在すると共に前記操作摘みの操作に連動して前記第１プレートの位置を前記可動体が前記操作用ロッドに装着された状態に維持される第１基準位置と前記可動体が前記操作用ロッドから離脱した状態に維持される離脱位置との何れかに切り替える第１プレート制御手段であって、前記操作摘みの開操作時に前記第１プレートを前記第１基準位置から前記離脱位置に切り替えると共に前記操作摘みの閉操作時に前記第１プレートを前記離脱位置から前記第１基準位置に切り替える第１プレート制御手段と、解錠状態における前記操作摘みの閉操作を規制可能であって、前記操作摘みが開位置にある状態で何れかの前記操作用ロッドが前記クリア位置から前記押込み位置に変位した場合に前記操作摘みの閉操作の規制を解除する第２規制手段と、を備えることを特徴とする。
【０００９】
また、本発明において、前記第２規制手段は、前記ハウジング内に前記第１プレートと平行に収容されると共に前記操作用ロッドのスライド方向と直交する方向に前記第１プレートと独立してスライド自在に設けられ、前記操作摘みが開位置にある状態で何れかの前記操作用ロッドが前記クリア位置から前記押込み位置に変位した時に、所定の第２基準位置から所定の施錠規制解除位置に変位する第２プレートと、前記回動部材および前記第２プレートの間に介在し、前記第２プレートが前記第２基準位置にある時に前記回動部材を係止することで当該回動部材が前記操作摘みの閉操作に対応する閉方向に回動することを規制し、前記第２プレートが前記施錠規制解除位置にある時に前記回動部材における閉方向への回動の規制を解除する係止部材と、を含んでいても良い。
【００１０】
また、本発明において、前記操作用ロッドにおける前記押しボタンと反対側に位置する方の端部には、当該操作用ロッドの軸方向に対して傾斜した傾斜面が形成されており、前記第２プレートには、複数の傾斜突部が前記操作用ロッド毎に対応して突設されており、前記クリア位置から前記押込み位置に変位した前記操作用ロッドの前記傾斜面と前記傾斜突部が衝突することで、前記第２プレートが前記第２基準位置から前記施錠規制解除位置に変位するように構成されていても良い。
【００１１】
また、本発明において、前記ハウジング内に前記第２プレートと平行に収容されると共に前記操作用ロッドのスライド方向と直交する方向に前記第２プレートと独立してスライド自在に設けられ、前記操作用ロッドが前記押込み位置に変位した際に当該操作用ロッドに形成された被係合部と係合可能な係合部が立設された第３プレートと、前記操作摘みが開操作および閉操作されることに連動して前記係合部と前記被係合部との係合を解除させることによって、前記操作用ロッドを前記押込み位置から前記クリア位置に戻すリセット手段と、をさらに備え、前記第２プレートは前記第３プレートの背面側に配設されると共に、前記第３プレートには前記２プレートに立設された前記傾斜突部を挿通することで当該傾斜突部を前記操作用ロッドの前記傾斜面に案内する案内孔が設けられていても良い。
【００１２】
また、本発明において、前記第３プレートは、所定の第３基準位置から所定のリセット位置に変位した時に前記係合部における前記被係合部との係合を解除し、前記回動部材の外周面には、当該回動部材の周方向に沿って離間した状態で並んで配置される第１凹部および第２凹部が形成されており、前記第３プレートは、前記回動部材の回動位置に応じて、前記第１凹部および前記第２凹部に選択的に受け入れられる凸部を含むリセット用アームを有し、前記凸部が前記第１凹部および前記第２凹部の何れかに受け入れられているときには前記第３基準位置に位置し、前記操作摘みの開操作又は閉操作に連動して前記凸部の受け入れ先が前記第１凹部および前記第２凹部の間で切り替わる過程において前記第１
凹部および前記第２凹部の間に位置する外周領域に前記凸部が乗り上げることで前記第３基準位置から前記リセット位置に変位するように構成されていても良い。
【００１３】
上述の課題を解決するための手段は、可能な限り組み合わせることができる。
【発明の効果】
【００１４】
本発明によれば、施錠を行う際に新たな解錠符号の設定がなされずに操作摘みの閉操作がなされることを抑制できるプッシュボタン錠を提供することができる。
【図面の簡単な説明】
【００１５】
【図１】実施形態に係るボタン錠の正面図である。
【図２】実施形態に係るボタン錠の背面図である。
【図３】実施形態に係るボタン錠の分解斜視図である。
【図４】実施形態に係るボタン錠の分解斜視図である。
【図５】実施形態に係るボタン錠の斜視図である。
【図６】実施形態に係るボタン錠の内部断面構造を示す図である。
【図７】実施形態に係るボタン錠の内部断面構造を示す図である。
【図８】実施形態に係るボタン錠の内部構造を示す斜視図である。
【図９】実施形態に係るボタン錠の内部構造を示す斜視図である。
【図１０】実施形態に係るボタン錠の操作用ロッドを示す図である。
【図１１】実施形態に係るボタン錠の操作用ロッドと押しボタンとの相対関係を示す図である。
【図１２】実施形態に係る操作用ロッドに可動ブロックが装着された状態を示す図である。
【図１３】実施形態に係る可動ブロックの斜視図である。
【図１４】実施形態に係るボタン錠の操作用ロッドを示す図である。
【図１５】実施形態に係るミドルプレートを説明する図である。
【図１６】実施形態に係るミドルプレートを説明する図である。
【図１７】実施形態に係るミドルプレートを説明する図である。
【図１８】実施形態に係るガイドプレートの正面図である。
【図１９】実施形態に係るガイドプレートの背面側の斜視図である。
【図２０】実施形態に係るガイドプレートの収容凹部にスライドロッド４０を収容した状態を示す図である。
【図２１】実施形態に係るスライドロッドを示す斜視図である。
【図２２】実施形態に係るボタン錠の正面側から内部を透視した透視図である。
【図２３】実施形態に係るロッドリターンプレートの正面側の斜視図である。
【図２４】実施形態に係るチルトプレートの正面側の斜視図である。
【図２５】実施形態に係るロッドリターンプレートとチルトプレートを組み合わせた状態の斜視図である。
【図２６Ａ】実施形態に係る外筒の斜視図である。
【図２６Ｂ】実施形態に係る外筒の斜視図である。
【図２７】施錠状態におけるボタン錠の内部構造を示す図である。
【図２８】解錠状態におけるにおけるボタン錠の内部構造を示す図である。
【図２９】実施形態に係るガイドブロックを示す図である。
【図３０】実施形態に係るガイドプレート制御アームを示す図である。
【図３１】実施形態に係るガイドプレートとガイドプレート制御アームとの連結状態を示す図である。
【図３２】実施形態に係る係止部材を説明する図である。
【図３３】実施形態に係るボタン錠の主要構造を示す図である。
【図３４】操作用ロッドがロッド第１保持状態にあり、かつ、第１保持位置に可動ブロックを装着している状態を示す図である。
【図３５】可動ブロックが第２保持位置に装着された操作用ロッドが第１保持状態にあるときの凹部と突起部との相対関係を示す図である。
【図３６】実施形態に係るボタン錠の押しボタンが解錠符号に揃っていない状態を示す図である。
【図３７】操作用ロッドに対する可動ブロックの嵌め合いが解除された状態を示す図である。
【図３８】検索ピンの詳細を説明する図である。
【図３９】検索ピンの詳細を説明する図である。
【発明を実施するための形態】
【００１６】
以下に図面を参照して、この発明を実施するための形態を例示的に詳しく説明する。なお、本実施の形態に記載されている構成要素の寸法、材質、形状、その相対配置等は、特に特定的な記載がない限りは、発明の技術的範囲をそれらのみに限定する趣旨のものではない。
【００１７】
＜全体構成＞
図１は、実施形態に係る機械式のプッシュボタン錠（以下、単に「ボタン錠」という）１００の正面図（前面図）である。図２は、実施形態に係るボタン錠１００の背面図（後面図）である。図３、図４は、ボタン錠１００の分解斜視図である。ボタン錠１００は、当該ボタン錠１００を構成する各種部品を収容、保護するハウジングとしてアッパーケース２およびロアケース３等を有する。アッパーケース２およびロアケース３は、互いに嵌め合わされることで、ハウジングを構成している。なお、ハウジングの構造、形状等は、種々の変更を加えることができる。また、図１および図２に示すように、アッパーケース２の外面にはフロントパネル２１が装着され、ロアケース３の外面にはリアパネル３０が装着されている。図５は、フロントパネル２１を取り外した状態のボタン錠１００の斜視図である。
【００１８】
アッパーケース２に装着されたフロントパネル２１は、アッパーケース２の正面側を覆っている。本実施形態では、ボタン錠１００における上下、左右方向を図１に示すように定義する。また、上下、左右方向に直交する方向を前後方向として定義し、フロントパネル２１側が前方であり、ロアケース３側が後方として扱うものとする。但し、ボタン錠１００の上下、左右、前後方向は、外部的な参照基準に対する位置関係を特定するものではなく、ボタン錠１００における各部同士の相対的な位置関係を特定しているに過ぎない。
【００１９】
ボタン錠１００のフロントパネル２１には、複数の押しボタン２２、クリアボタン２３、操作摘み４、表示窓２４等が設けられている。また、フロントパネル２１における各押しボタン２２の近傍には、押しボタン２２に対応する符号（数字、記号、文字等を含む）が印字、刻印などされている。ボタン錠１００は、１１個の押しボタン２２を有しており、０〜９、および※マークが対応する押しボタン２２の隣に印字されている。但し、ボタン錠１００が備える押しボタン２２の個数や、フロントパネル２１に印字する符号の種類はボタン錠１００の仕様に応じて変更できる。なお、フロントパネル２１には、押しボタン２２やクリアボタン２３等を出没可能とするために適した形状および大きさを有するボタン用開口部２１１が設けられており、このボタン用開口部２１１を通じて押しボタン２２等が出没可能となっている。クリアボタン２３は、全ての押しボタン２２を一旦クリアするためのボタンである。
【００２０】
押しボタン２２は、フロントパネル２１に形成されたボタン用開口部２１１を通じて、ハウジングの内外に進退（出没）自在となっている。後述するように、ボタン錠１００は、解錠符号（いわゆる暗証番号）に則した押しボタン２２の押動操作がなされることによ
って解錠することができる。ボタン錠１００が解錠状態にある場合、使用者（扱い者）は、操作摘み４を回動させ、ボタン錠１００のストッパーＳＰの開閉操作を行うことができる。ストッパーＳＰは、ハウジングに取り付けられ、施錠対象物の相手側部材に係脱可能である。操作摘み４は、ストッパーＳＰに連結されており、操作摘み４を回動させることでストッパーＳＰの姿勢を変更できる。使用者は、操作摘み４の位置合わせマークを、ＯＰＥＮ位置（開位置）２５と、ＣＬＯＳＥ位置（閉位置）２６の何れかに合わせることで、施錠対象物の相手側部材に対するストッパーＳＰの係止、離脱状態を切り替える切り替え操作を行うことができる。
【００２１】
ボタン錠１００が施錠状態にある場合、操作摘み４の回動操作が規制される。表示窓２４は、操作摘み４が、ＯＰＥＮ位置とＣＬＯＳＥ位置との何れの位置に合わせられているかを表示するものである。
【００２２】
通常使用時において、ボタン錠１００の施錠および解錠操作（以下、あわせて「施錠・解錠操作」ともいう。）は、使用者が押しボタン２２を解錠符号に合わせて押動することによって行われる。例えば、解錠符号が「１２４６」である場合、フロントパネル２１に表示されている符号のうち、解錠符号に該当する「１」、「２」、「４」、「６」に対応する押しボタン２２のみが押下され、かつ、それ以外の押しボタン２２が押下されない場合に、ボタン錠１００が解錠される。この場合、上記のように、操作摘み４を回動させることによる開閉操作が可能となる。ここでいう操作摘み４の開閉操作とは、操作摘み４の位置をＯＰＥＮ位置２５からＣＬＯＳＥ位置２６、或いはＣＬＯＳＥ位置２６からＯＰＥＮ位置２５へと切り替える操作をいう。以下では、前者の操作を「閉操作」と称し、後者の操作を「開操作」と称する。また、実施形態に係るボタン錠１００は、いわゆるワンタイム方式を採用しており、ボタン錠１００を施錠する際にはその都度、使用者は新たな暗証番号を設定するために任意の押しボタン２２を押してから操作摘み４を閉操作することで施錠される構造となっている。
【００２３】
＜シリンダー錠機構＞
ボタン錠１００は、使用者が解錠符号を忘れた場合、ボタン錠１００を強制的に解錠するためのシリンダー錠機構（以下、「シリンダー」という）５を備える（図６を参照）。シリンダー５は、操作摘み４とストッパーＳＰとの間に介在し、所定の解錠鍵を使用することで、操作摘み４の動作の規制を強制的に解除可能である。
【００２４】
図６は、シリンダー５における軸線方向に沿った縦断面を通るボタン錠１００の断面図である。シリンダー５は、その軸線方向に沿って形成された鍵穴５１を有する錠機構であり、外筒６の内側に回動自在に保持されている。外筒６は、アッパーケース２の一部として形成される円筒スリーブ部２７の内側に配置されている。円筒スリーブ部２７の前端部には、インジケータ１３が嵌め込まれている。シリンダー５の後端部には駆動シャフト１２が連結されており、この駆動シャフト１２を介してストッパーＳＰがシリンダー５に取り付けられている。言い換えると、ストッパーＳＰは、駆動シャフト１２を介してシリンダー５と一体に固定されている。また、図１に示すように、シリンダー５および外筒６の前端側は、操作摘み４によって覆われている。外筒６は、アッパーケース２の円筒スリーブ部２７に対して回動自在に取り付けられている。また、外筒６の内周側には、シリンダー５が回動自在かつ摺動自在に装着されている。但し、通常時においては、外筒６に対してシリンダー５は係止されており、シリンダー５の鍵穴５１に後述する非常解錠鍵またはシリンダー交換鍵が挿入された場合を除いて、外筒６に対するシリンダー５の相対回動および摺動は規制（禁止）されるように構成されている。非常解錠鍵によるシリンダー錠の非常解錠、およびシリンダー交換鍵によるシリンダー交換に関する技術は公知であるため、ここでの詳しい説明は割愛する。
【００２５】
＜ボタン錠機構＞
次に、ボタン錠１００におけるボタン錠機構について詳しく説明する。図７は、ボタン錠１００の断面図である。図８および図９は、実施形態に係るボタン錠１００の内部構造を示す斜視図である。図８、図９において、ボタン錠１００のアッパーケース２およびロアケース３の図示を省略している。また、図８および図９は、ボタン錠１００が解錠された状態を示している。
【００２６】
ボタン錠１００におけるハウジング内部には、アッパーケース２側からガイドプレート７、ミドルプレート８、ロッドリターンプレート９、チルトプレート１０が、これらの順に並んで配置されている。これら各プレート部材は、ボタン錠１００の平面方向に沿って互いに平行に配置されている。詳しくは後述するが、ミドルプレート８は、アッパーケース２に固定されており、ハウジングの内部を２つの空間に分割している。以下、ハウジング内部のうち、ミドルプレート８よりも前方、すなわちミドルプレート８とアッパーケース２によって画定される収容空間を第１収容部と称する。また、ハウジング内部のうち、ミドルプレート８よりも後方、すなわちミドルプレート８とロアケース３によって画定される収容空間を第２収容部と称する。図７に示すように、ガイドプレート７は第１収容部内に収容され、ロッドリターンプレート９およびチルトプレート１０が第２収容部内に収容されている。
【００２７】
［操作用ロッド］
図７に示すように、ボタン錠１００のハウジング内部には、複数の操作用ロッド３２がボタン錠１００の前後方向に沿って延設されている。操作用ロッド３２は、アッパーケース２に設けられた挿通孔に挿通されており、頭部側がアッパーケース２とフロントパネル２１との間の空間に突出した状態で配置されている。
【００２８】
図１０は、ボタン錠１００の操作用ロッド３２を示す図である。操作用ロッド３２は、長手方向の一端側から胴部本体３２１、首部３２２および頭部３２３を有している。操作用ロッド３２における胴部本体３２１は略四角柱形状を有している。一方、首部３２２および頭部３２３は略円柱形状を有し、これらは胴部本体３２１に比べて横断面が小さい。操作用ロッド３２は、アッパーケース２のロッド挿通孔３１に対して、首部３２２および頭部３２３を挿通可能となっているが、胴部本体３２１を挿通させることはできないようになっている。また、操作用ロッド３２における首部３２２および頭部３２３の境界部分には、括れ形状を有するくびれ部が形成されている。
【００２９】
操作用ロッド３２は、頭部３２３を、アッパーケース２の内面側からロッド挿通孔３１を挿通させた状態で、ロッド保持用のロッドスプリング３２４がアッパーケース２の前壁２ａと操作用ロッド３２のくびれ部との間に介装されている。ロッドスプリング３２４は、アッパーケース２に対して、操作用ロッド３２を引き抜く方向に弾性力を作用させている。また、図７に示すように、各操作用ロッド３２の頭部３２３には押しボタン２２が位置付けられている。また、操作用ロッド３２における胴部本体３２１の後端には、溝部３２５が設けられている。溝部３２５の溝底は、操作用ロッド３２の軸方向に対して傾斜した傾斜面３２５ａとして形成されており、後述するチルトプレート１０の傾斜突部１０２と係合可能となっている。
【００３０】
また、図１０に示すように、操作用ロッド３２の胴部本体３２１には、複数対の凹部が設けられている。符号３２１ａ，３２１ａは第１凹部対、符号３２１ｂ，３２１ｂは第２凹部対である。第１凹部対３２１ａ，３２１ａおよび第２凹部対３２１ｂ，３２１ｂは、胴部本体３２１の底面と側面との境界をなす角部に形成されており、胴部本体３２１の軸方向（長手方向）に関しては、第１凹部対３２１ａ，３２１ａに比べて第２凹部対３２１ｂ，３２１ｂの方が内側に形成されている。また、第１凹部対３２１ａ，３２１ａと第２
凹部対３２１ｂ，３２１ｂの形状および大きさは同等である。
【００３１】
更に、操作用ロッド３２の胴部本体３２１には、第３凹部対３２１ｃ，３２１ｃ、および第４凹部対３２１ｄ，３２１ｄが設けられている。第３凹部対３２１ｃ，３２１ｃおよび第４凹部対３２１ｄ，３２１ｄも、第１凹部対３２１ａ，３２１ａおよび第２凹部対３２１ｂ，３２１ｂと同様に、胴部本体３２１の底面と側面との境界をなす角部に形成されている。操作用ロッド３２における胴部本体３２１の軸方向において、第３凹部対３２１ｃ，３２１ｃは第２凹部対３２１ｂ，３２１ｂよりも前端側に配置され、第４凹部対３２１ｄ，３２１ｄは更に第３凹部対３２１ｃ，３２１ｃよりも前端側に配置されている。なお、第３凹部対３２１ｃ，３２１ｃと第４凹部対３２１ｄ，３２１ｄの形状および大きさは同等である。
【００３２】
更に、操作用ロッド３２の胴部本体３２１には、第１凸部対３２１ｅ，３２１ｅ、第２凸部対３２１ｆ，３２１ｆ、第３凸部対３２１ｇ，３２１ｇが設けられている。第１凸部対３２１ｅ，３２１ｅ、第２凸部対３２１ｆ，３２１ｆ、第３凸部対３２１ｇ，３２１ｇは、胴部本体３２１の上面と側面との境界をなす角部に形成されており、胴部本体３２１の後端側からこれらの順に配置されている。第１凸部対３２１ｅ，３２１ｅ、第２凸部対３２１ｆ，３２１ｆ、第３凸部対３２１ｇ，３２１ｇの形状および大きさは同等である。
【００３３】
図１１は、ボタン錠１００の操作用ロッド３２と押しボタン２２との相対関係を示す図である。押しボタン２２は、フロントパネル２１に形成されたボタン用開口部２１１に比べて断面積が小さなボタン部２２１と、ボタン用開口部２１１に比べて断面積が大きなベース部２２２とを有する。押しボタン２２のベース部２２２は、フロントパネル２１の裏側に配置されており、押しボタン２２がフロントパネル２１のボタン用開口部２１１から抜け落ちることを防止している。また、押しボタン２２のベース部２２２の裏側には、ボタンスプリング２２３が装着されている。このボタンスプリング２２３は、押しボタン２２のベース部２２２とアッパーケース２との間に縮んだ状態で挟まれており、押しボタン２２を、フロントパネル２１の前方側に突出させる方向に押圧している。なお、図１１において、ロッドスプリング３２４の図示を省略している。
【００３４】
以上のように、ボタン錠１００における押しボタン２２は、ボタンスプリング２２３によってボタン用開口部２１１から押し出される方向に常に押圧されている。また、操作用ロッド３２は、ロッドスプリング３２４によって、ロッド挿通孔３１から押し出される方向に常に押圧されている。使用者がボタンスプリング２２３の付勢力に抗して押しボタン２２を押動した場合、押しボタン２２のベース部２２２が操作用ロッド３２の頭部３２３をハウジング内部側に押し込む結果、押しボタン２２の押動操作に連動して操作用ロッド３２も軸方向に変位することとなる。その後、使用者の指を押しボタン２２から離すと、ボタンスプリング２２３の弾性力によって、押しボタン２２が図７に示す初期位置まで戻される。なお、押しボタン２２の初期位置とは、図７に示すように、押しボタン２２がハウジング内に埋没していない位置をいう。
【００３５】
次に、操作用ロッド３２に対して着脱自在に装着される可動ブロック３３について説明する。操作用ロッド３２における第３凹部対３２１ｃ，３２１ｃ、第４凹部対３２１ｄ，３２１ｄ、第１凸部対３２１ｅ，３２１ｅ、第２凸部対３２１ｆ，３２１ｆ、第３凸部対３２１ｇ，３２１ｇは、図３、４等に示される可動ブロック３３（可動体）を嵌め合いによって装着する際に用いられる。
【００３６】
図１２は、操作用ロッド３２に可動ブロック３３が装着された状態を示す図である。図１２において、押しボタン２２の図示は省略している。図１３は、可動ブロック３３の斜視図である。ボタン錠１００は、各操作用ロッド３２に、１つの可動ブロック３３が着脱
自在に装着されるように構成されている。図１３に示すように、可動ブロック３３は、略コの字形の形状を有する部材であり、底壁部３３１と、この底壁部３３１の両端から立設する一対の側壁部３３２を有する。
【００３７】
可動ブロック３３における側壁部３３２の上端内側には、ブロック側第１凹部対３３３ａ，３３３ａ、ブロック側第２凹部対３３３ｂ，３３３ｂが、所定間隔だけ離れて設けられている。また、ブロック側第１凹部対３３３ａ，３３３ａおよびブロック側第２凹部対３３３ｂ，３３３ｂの略中間位置であって、底壁部３３１における下端内側には、ブロック側凸部対３３３ｃ，３３３ｃが設けられている。可動ブロック３３のブロック側第１凹部対３３３ａ，３３３ａは、操作用ロッド３２における第１凸部対３２１ｅ，３２１ｅ又は第２凸部対３２１ｆ，３２１ｆを選択的に受け入れ可能であり、ブロック側第２凹部対３３３ｂ，３３３ｂは、操作用ロッド３２における第２凸部対３２１ｆ，３２１ｆ又は第３凸部対３２１ｇ，３２１ｇを選択的に受け入れ可能である。また、可動ブロック３３のブロック側凸部対３３３ｃ，３３３ｃは、操作用ロッド３２における第３凹部対３２１ｃ，３２１ｃ又は第４凹部対３２１ｄ，３２１ｄに対して選択的に嵌合可能である。
【００３８】
図１２に示す例では、可動ブロック３３におけるブロック側第１凹部対３３３ａ，３３３ａ、ブロック側第２凹部対３３３ｂ，３３３ｂ、ブロック側凸部対３３３ｃ，３３３ｃがそれぞれ、操作用ロッド３２における第１凸部対３２１ｅ，３２１ｅ、第２凸部対３２１ｆ，３２１ｆ、第３凹部対３２１ｃ，３２１ｃと係合することで、操作用ロッド３２の第１保持位置に可動ブロック３３が保持されている。一方、操作用ロッド３２は、図１４に示すように、第１保持位置に比べて前端側（頭部３２３側）の第２保持位置に可動ブロック３３を保持することが可能である。ここで、操作用ロッド３２における第２保持位置は、第１保持位置に比べて、相対的に押しボタン２２に近接した位置といえる。可動ブロック３３が操作用ロッド３２の第２保持位置に保持される場合、ブロック側第１凹部対３３３ａ，３３３ａ、ブロック側第２凹部対３３３ｂ，３３３ｂがそれぞれ操作用ロッド３２における第２凸部対３２１ｆ，３２１ｆ、第３凸部対３２１ｇ，３２１ｇを受け入れ、ブロック側凸部対３３３ｃ，３３３ｃが操作用ロッド３２における第４凹部対３２１ｄ，３２１ｄに嵌合された状態となる。以上のように、可動ブロック３３は、操作用ロッド３２に対して保持される位置を、第１保持位置と第２保持位置との間で選択的に切り替えることが可能である。また、可動ブロック３３の底壁部３３１の外面には、略四角錐形状を有する凹部３３４が設けられている。
【００３９】
［ミドルプレート］
図１５〜図１７は、ミドルプレート８を説明する図である。図１５は、ミドルプレート８の正面側の斜視図である。図１６は、ミドルプレート８の正面図である。図１７は、ミドルプレート８の背面側の斜視図である。ミドルプレート８は、アッパーケース２に固定された略矩形の平面形状を有するプレート部材である。ミドルプレート８には、可動ブロック３３を収容可能なブロック収容凹部８１が操作用ロッド３２の数だけ設けられている。ブロック収容凹部８１は、ハウジング内の第１収容部側に面して開口している。なお、ブロック収容凹部８１は、可動ブロック３３よりも僅かに大きな横断面を有している。また、ブロック収容凹部８１の底部によって、当該ブロック収容凹部８１に収容される可動ブロック３３が支持されるようになっている。また、ブロック収容凹部８１の底部にはロッド挿通孔８１ａが形成されており、このロッド挿通孔８１ａに対して各操作用ロッド３２の胴部本体３２１を挿通させることができるようになっている。また、符号８２は、検索ピン３４をガイドするためのスリーブである。ミドルプレート８においてスリーブ８２で囲まれた領域には、図３、４等に示す検索ピン３４を挿通させるための貫通孔８３が形成されている。
【００４０】
ミドルプレート８におけるロッド挿通孔８１ａの開口断面積は、可動ブロック３３の断
面よりも小さく、操作用ロッド３２の胴部本体３２１の断面よりも僅かに大きい。操作用ロッド３２は、頭部３２３および首部３２２がアッパーケース２のロッド挿通孔３１に挿通され、胴部本体３２１がミドルプレート８のロッド挿通孔８１ａに挿通される。その結果、操作用ロッド３２は、ハウジングの第１収容部内で姿勢が斜めに傾くことがなく、図７に示したような正規の姿勢に保持される。
【００４１】
［ガイドプレート／スライドロッド／ロッドリターンプレート／チルトプレート］
図１８は、ガイドプレート７の正面図である。図１９は、ガイドプレート７の背面側の斜視図である。ガイドプレート７は、操作用ロッド３２とこの操作用ロッド３２に装着された可動ブロック３３を収容する貫通孔７１が設けられている。貫通孔７１は、四角形と楕円形を合わせたような形状を有しており、ガイドプレート７を厚さ方向に貫通している。また、ガイドプレート７における貫通孔７１は、ボタン錠１００の押しボタン２２に対応する位置に設けられている。以下では、ガイドプレート７における貫通孔７１のうち、略四角形を呈する部分を「ブロック収容孔部７１ａ」と称し、略楕円形を呈する部分を「検索ピン挿通孔部７１ｂ」と称する。図１８、図１９に示すように、ガイドプレート７のブロック収容孔部７１ａには、操作用ロッド３２の胴部本体３２１に保持された可動ブロック３３が収容されている。可動ブロック３３は、ブロック収容孔部７１ａに収容された状態において、操作用ロッド３２の軸方向に沿ってスライド自在である。一方、ガイドプレート７の検索ピン挿通孔部７１ｂには、検索ピン３４（図１５等を参照）が挿通される。検索ピン３４は、ボタン錠１００の解錠符号（暗証番号）を検索するために使用される部材である。また、ガイドプレート７の側面には、後述するガイドプレート制御アーム１４と係合する係合凹部７６が設けられている。
【００４２】
図７に示すように、ガイドプレート７は、ミドルプレート８の前面に沿って配置されている。ミドルプレート８はアッパーケース２に固定されているのに対して、ガイドプレート７はハウジング内（第１収容部）における上下方向、すなわち操作用ロッド３２のスライド方向と直交する方向にスライド可能に配置される。その際、ガイドプレート７は、ミドルプレート８に摺接した状態で、スライドするようになっている。なお、本実施形態において、操作用ロッド３２のスライド方向は、外筒６およびシリンダー５の軸線方向と平行である。ガイドプレート７のブロック収容孔部７１ａのそれぞれがミドルプレート８のブロック収容凹部８１と位置が合致した状態、すなわち対応するブロック収容孔部７１ａとブロック収容凹部８１との位置が前後に重なった状態となるようなガイドプレート７の位置を「第１基準位置」として定義する。
【００４３】
図１９に示すように、ガイドプレート７の背面（後面）側には、スライドロッド４０を収容可能な収容凹部７５が形成されている。収容凹部７５内におけるスライドロッド４０は、スライドロッド４０の軸方向に沿って所定範囲内でスライド自在である。より具体的には、ガイドプレート７に対するスライドロッド４０のスライド方向は、ハウジングの第１収容部内におけるガイドプレート７のスライド方向と一致する。図２０には、ガイドプレート７の収容凹部７５にスライドロッド４０を収容した状態が示されている。なお、ガイドプレート７の収容凹部７５に収容されたスライドロッド４０は、ガイドプレート７と相対的にスライドすることができる。なお、図２０においては、作図上、ガイドプレート７における一部の収容凹部７５のみに対応する操作用ロッド３２、可動ブロック３３、検索ピン３４、押しボタン２２等を図示している。
【００４４】
図２１は、スライドロッド４０を示す斜視図である。スライドロッド４０は、軸本体部４１と、この軸本体部４１の側方から突設される複数の腕部４２を有している。スライドロッド４０の腕部４２は、押しボタン２２に対応して設けられている。また、各腕部４２の先端には、側面視略三角形状を有する突起部４３が形成されている。腕部４２の突起部４３は、可動ブロック３３に形成された略角錐形状を有する凹部３３４と係合可能である
。スライドロッド４０における突起部４３と可動ブロック３３における凹部３３４との係合、およびその解除については後述する。
【００４５】
また、スライドロッド４０における軸本体部４１の端部近傍には、矩形状のロッド貫通孔４４が形成されている。軸本体部４１の軸方向へのロッド貫通孔４４の開口幅は、ロッドリターンプレート９の立ち上り部９２の幅よりも大きい。これにより、ロッドリターンプレート９の立ち上り部９２をロッド貫通孔４４に挿通させた状態で、立ち上り部９２を所定の範囲でスライドさせることができる。なお、図１８および図１９に示されるように、ガイドプレート７にも、ロッドリターンプレート９の立ち上り部９２を挿通させる貫通孔７７が形成されている。ガイドプレート７に設けられた貫通孔７７は、収容凹部７５にスライドロッド４０を収容した状態で、スライドロッド４０のロッド貫通孔４４と平面的な位置が合致するように配置されている。これにより、ガイドプレート７の収容凹部７５にスライドロッド４０を収容した状態で、ロッドリターンプレート９の立ち上り部９２をロッド貫通孔４４および貫通孔７７に挿通させることができる。なお、ロッドリターンプレート９における立ち上り部９２の詳細については後述する。
【００４６】
更に、スライドロッド４０の軸本体部４１の下端部には、棒形状を有するアーム制御部４５が側方から突設されている。アーム制御部４５の途中には、鍔部４５１が形成されており、この鍔部４５１によって、アーム制御部４５が先端側の第１領域部４５２と、基端側の第２領域部４５３とに区分されている。スライドロッド４０のアーム制御部４５は、図２２に示すアーム３６の姿勢を制御（変更）することができる。
【００４７】
ここで、図２２を参照してアーム３６を説明する。図２２は、ボタン錠１００の正面側から内部を透視した透視図であり、アッパーケース２の図示を省略している。アーム３６は、円筒形状を有する軸受け部３６１と、この軸受け部３６１から突設される連結部３６２と回転ストッパー３６３とを有している。アーム３６の軸受け部３６１は、アッパーケース２の裏面から突設された回転軸３７に回転自在に軸支されている。また、アーム３６の連結部３６２および回転ストッパー３６３は、互いに反対方向に軸受け部３６１から突出している。連結部３６２の端部には連結用爪が形成されており、この連結用爪にアーム制御部４５の鍔部４５１を係止することで、アーム制御部４５およびアーム３６を連結している。その結果、ガイドプレート７に保持（収容）されたスライドロッド４０が、ハウジング内を上下方向にスライドする際、これに連動してアーム３６の姿勢を変更することができる。なお、アーム３６の作動状況に関する詳細は、後述する。
【００４８】
また、アーム制御部４５の第１領域部４５２および第２領域部４５３には、第１スプリング４５４および第２スプリング４５５がそれぞれ縮んだ状態で装着されている。第１スプリング４５４は、アーム３６の連結部３６２とアッパーケース２の側壁との間に挟まれており、アーム３６の連結部３６２を上方に向かって付勢している。また、第２スプリング４５５は、アーム３６の連結部３６２と軸本体部４１の下端部との間に挟まれており、スライドロッド４０を上方に向かって付勢している。なお、ガイドプレート７は、第１スプリング４５４および第２スプリング４５５に付勢されないように、ガイドプレート７の収容凹部７５の大きさが調整されている。また、アーム３６の回転ストッパー３６３は、その姿勢によって、外筒６の外周部に設けられた扇形の外周突起片６３１と係合することが可能である。詳しくは後述するが、外筒６の外周突起片６３１が回転ストッパー３６３によって係止されている状態では、操作摘み４の開操作に対応する方向（開方向）への外筒６の回動動作が規制（制限）される。一方、外筒６の外周突起片６３１が回転ストッパー３６３に係止されていない状態では、操作摘み４の開操作に対応する開方向への外筒６の回動動作は規制されない。
【００４９】
次に、ロッドリターンプレート９およびチルトプレート１０について説明する。図２３
は、ロッドリターンプレート９の正面側の斜視図である。図２４は、チルトプレート１０の正面側の斜視図である。図２５は、ロッドリターンプレート９とチルトプレート１０を組み合わせた状態の斜視図である。図７に示した様に、ロッドリターンプレート９およびチルトプレート１０は、ミドルプレート８とロアケース３によって形成される第２収容部に配置されるプレート部材である。ロッドリターンプレート９およびチルトプレート１０は、ボタン錠１００の第２収容部において、上下方向にスライド自在に収容されている。ロッドリターンプレート９およびチルトプレート１０のスライド方向は、操作用ロッド３２のスライド方向と直交する方向であって、ガイドプレート７のスライド方向と一致する。なお、ガイドプレート７、チルトプレート１０、ロッドリターンプレート９は、それぞれが独立して操作用ロッド３２のスライド方向と直交する方向にスライド自在である。ガイドプレート７、チルトプレート１０、ロッドリターンプレート９は、本発明における第１プレート、第２プレート、第３プレートに相当する。
【００５０】
ロッドリターンプレート９は、プレート本体部９３と、プレート本体部９３から立設する立ち上り部９２を有する。ロッドリターンプレート９は、ハウジング内においてチルトプレート１０の手前側に配置される。ここでいう手前側とは、ボタン錠１００におけるフロントパネル２１側から見て手前側に位置することを指す。言い換えると、チルトプレート１０は、ロッドリターンプレート９の背面側に配置されている。ロッドリターンプレート９の立ち上り部９２は、プレート本体部９３における幅方向中央部かつ下端寄りの部分に設けられており、プレート本体部９３の長辺方向に沿って伸びている。また、立ち上り部９２の先端は、他の部分に比べて幅が一段狭い先端段差部９２１が形成されている。図１、３３等に示すクリアボタン２３は、使用者が把持するためのボタン把持部２３１と、図２３に示すロッドリターンプレート９に設けられた立ち上り部９２の先端段差部９２１と係合する係合部２３２を有している。ボタン錠１００は、ロッドリターンプレート９における立ち上り部９２の先端段差部９２１を、クリアボタン２３に形成された係合部２３２に係合させた状態で組み上げられる。これにより、クリアボタン２３がスライド操作された際に、ロッドリターンプレート９も連動してスライドするようになる。
【００５１】
更に、ロッドリターンプレート９のプレート本体部９３の表面には、複数の爪部９１が設けられている。爪部９１は、一対の爪片によって構成されており、各爪部９１は操作用ロッド３２に対応する位置に配置されている。ロッドリターンプレート９の爪部９１は、操作用ロッド３２の胴部本体３２１における第１凹部対３２１ａ，３２１ａおよび第２凹部対３２１ｂ，３２１ｂの何れかに選択的に嵌合されるようになっている。ロッドリターンプレート９の爪部９１が、第１凹部対３２１ａ，３２１ａおよび第２凹部対３２１ｂ，３２１ｂの何れかに嵌合されることで、操作用ロッド３２がロッドリターンプレート９に保持された状態となる。そして、第１凹部対３２１ａ，３２１ａと第２凹部対３２１ｂ，３２１ｂとの間で爪部９１が嵌合する相手が切り替えられることで、ロッドリターンプレート９による操作用ロッド３２の保持状態を変更することができる。
【００５２】
チルトプレート１０は、プレート本体部１０１と、プレート本体部１０１の表面に突設された複数の傾斜突部１０２と、プレート本体部１０１の側面に突設された駆動用アーム１０３を有する。チルトプレート１０における各傾斜突部１０２は、操作用ロッド３２に対応する位置に配置されている。また、チルトプレート１０の駆動用アーム１０３は、図２２に示す係止部材１１を駆動するための部材である。
【００５３】
また、図２３および図２５に示すように、ロッドリターンプレート９のプレート本体部９３に突設された各爪部９１における爪片間には、チルトプレート１０の傾斜突部１０２を挿通可能な開口部９４が設けられている。開口部９４は、プレート本体部９３を厚さ方向に貫通しており、本発明における案内孔に相当する。ロッドリターンプレート９の各開口部９４にチルトプレート１０の各傾斜突部１０２を挿通させることで、ロッドリターン
プレート９（プレート本体部９３）にチルトプレート１０（プレート本体部１０１）を添わせた状態で重ね合せることができる。更に、図２３に示すように、ロッドリターンプレート９におけるプレート本体部９３の側面には、波形のアーム部材であるリセット用アーム９５が側方に向けて突設されている。リセット用アーム９５の先端には、凸部９５ａが設けられている。また、プレート本体部９３の下側の短辺には、リターンスプリング９７を保持するための保持ピン９８が突設されている。リターンスプリング９７は、ロアケース３に設けられる突出片３００とプレート本体部９３との間に介装されている。ロッドリターンプレート９は、リターンスプリング９７の弾性力によって、常に上方に向かって押圧されている。
【００５４】
[外筒]
図２６Ａおよび図２６Ｂは、外筒６の斜視図である。外筒６の後端側には、ロッドリターンプレート９における波形のリセット用アーム９５の先端に設けられた凸部９５ａと係合する一対の第１凹部６１１と第２凹部６１２が周方向に沿って離間した状態で並んで配置されている。第１凹部６１１および第２凹部６１２は、外筒６の側壁を貫通する略矩形状の貫通孔である。第１凹部６１１および第２凹部６１２は、外筒６の軸線方向において互いに等しい位置に配置されている。図中、符号６１３は、第１凹部６１１および第２凹部６１２の間に位置する外周領域（以下、「凹部間外周領域」という）である。第１凹部６１１における凹部間外周領域６１３との境界に位置する第１縁部６１１ａと、第２凹部６１２における凹部間外周領域６１３との境界に位置する第２縁部６１２ａとはテーパ状の斜面となっている。通常時において操作摘み４、シリンダー５、外筒６、ストッパーＳＰは一体となっており、操作摘み４の操作に伴って、外筒６は回動する。詳しくは後述するが、外筒６の第１凹部６１１および第２凹部６１２には、操作摘み４の操作に伴う外筒６の回動位置に応じて、ロッドリターンプレート９におけるリセット用アーム９５の先端に設けられた凸部９５ａが選択的に受け入れられるように構成されている。
【００５５】
また、外筒６の外周面には、外筒６の周方向に隣接配置される回転規制凹部６２１および回転規制凸部６２２が設けられている。回転規制凹部６２１と回転規制凸部６２２は、外筒６の軸線方向において同じ位置に配置されている。詳しくは後述するが、外筒６の外周面に設けられた回転規制凹部６２１および回転規制凸部６２２が係止部材１１によって係止されることで、外筒６の回動動作が規制される。
【００５６】
また、図２６Ａおよび図２６Ｂに示すように、外筒６の外周面には、アーム３６の回転ストッパー３６３と係合可能な外周突起片６３１が設けられている。更に、外筒６の外周面には、後述するガイドプレート制御アーム１４と選択的に係合可能な一対の第１嵌合凹部６４１および第２嵌合凹部６４２が設けられている。第１嵌合凹部６４１および第２嵌合凹部６４２は、外筒６の軸線方向において同じ位置に配置されている。また、第１嵌合凹部６４１および第２嵌合凹部６４２は、外筒６の周方向に沿って離間した状態で並んで配置されている。以上のように構成される外筒６において、図２６Ａおよび図２６Ｂに示すように、第１凹部６１１および第２凹部６１２と、回転規制凹部６２１および回転規制凸部６２２と、外周突起片６３１と、第１嵌合凹部６４１および第２嵌合凹部６４２は、外筒６の軸線方向に沿って異なる位置に配置されている。なお、ガイドプレート制御アーム１４は外筒６およびガイドプレート７の間に介在する部材であり、操作摘み４の操作に応じてガイドプレート７をスライド駆動する。本実施形態においては、ガイドプレート制御アーム１４が本発明における第１プレート制御手段に相当する。
【００５７】
次に、組み付け後におけるボタン錠１００の各部品同士の関係について説明する。図２７は、施錠状態におけるボタン錠１００の内部構造を示す図である。図２８は、解錠状態におけるにおけるボタン錠１００の内部構造を示す図である。
【００５８】
ボタン錠１００が組み上がった状態において、上述したガイドプレート７は、ブロック収容孔部７１ａに可動ブロック３３を収容し、収容凹部７５にスライドロッド４０を収容した状態で、ハウジングの第１収容部の上下方向に所定範囲内でスライド自在に配置されている。一方、ハウジングの第２収容部に配置されるロッドリターンプレート９およびチルトプレート１０は、図２５で説明したようにロッドリターンプレート９の各開口部９４にチルトプレート１０の各傾斜突部１０２を挿通させることで互いに重ね合せた状態で、ハウジングの第２収容部の上下方向に所定範囲内でスライド自在に配置されている。また、図２５に示すように、チルトプレート１０の傾斜突部１０２に比べてロッドリターンプレート９の開口部９４の方が相対的に大きく、ロッドリターンプレート９の各開口部９４にチルトプレート１０の各傾斜突部１０２を挿通した状態において、チルトプレート１０とロッドリターンプレート９とにおける相対的なスライド動作が許容されている。
【００５９】
ここで、図２２、２７、２８等に示す符号１５は、ガイドプレート制御アーム１４の動作を制御するガイドブロックである。ガイドブロック１５は、アッパーケース２に固定されている部材であり、図２９に示すように略矩形状の貫通孔１５１が厚さ方向に穿設されている。ガイドブロック１５の貫通孔１５１の長辺は、ガイドプレート７のスライド方向、言い換えると第１収容部の上下方向に沿って平行に伸びている。図３０は、ガイドプレート制御アーム１４を示す図である。図３０（ａ）は、ガイドプレート制御アーム１４における一方の側面からの斜視図である。図３０（ｂ）は、ガイドプレート制御アーム１４における他方の側面からの斜視図である。ガイドプレート制御アーム１４の一方の端部には、外筒６の外周面に設けられた第１嵌合凹部６４１又は第２嵌合凹部６４２に対して選択的に嵌合可能なフック部１４１が設けられている。ガイドプレート制御アーム１４の他端側には、Ｖ型凸部１４２が設けられており、このＶ型凸部１４２の厚さ方向中央部からガイドブロック１５の貫通孔１５１に挿通可能な腕片１４３が延設されている。ガイドブロック１５の貫通孔１５１を挿通した腕片１４３の先端部は、図３１に示すようにガイドプレート７の係合凹部７６と係合することで、ガイドプレート７とガイドプレート制御アーム１４とが連結される。
【００６０】
なお、ガイドプレート制御アーム１４には、アーム用スプリング１４４を装着するスプリング保持部１４５が設けられている。アーム用スプリング１４４は、アッパーケース２の内壁面とガイドプレート制御アーム１４との間に狭持されており、アーム用スプリング１４４の弾性力によってガイドプレート制御アーム１４のフック部１４１が外筒６の外周面に押し付けられている。
【００６１】
また、ガイドブロック１５の表面には、ガイドプレート制御アーム１４のＶ型凸部１４２を嵌合可能なＶ型凹部１５２が形成されている。なお、ガイドプレート制御アーム１４のＶ型凸部１４２は、ガイドブロック１５の貫通孔１５１よりも幅広となっており、Ｖ型凸部１４２は貫通孔１５１に挿入されないようになっている。また、ガイドプレート制御アーム１４の腕片１４３は、ガイドブロック１５の貫通孔１５１の長辺に沿ってスライド自在である。即ち、ガイドプレート制御アーム１４の腕片１４３は、貫通孔１５１の一方の短辺に当接する位置から他方の短辺に当接する位置までのストローク範囲でスライドすることができる。
【００６２】
図２２に示すように、係止部材１１は、アッパーケース２に軸支されており、回転自在となっている。係止部材１１は、回動部材の一例である外筒６と第２プレートの一例であるチルトプレート１０との間に介在する部材である。図３２に示すように、係止部材１１は、チルトプレート１０の駆動用アーム１０３と係合することで、その姿勢が制御されるようになっている。より具体的には、係止部材１１の軸受け部１１１は、アッパーケース２の内面から突設された回転軸に回転自在に軸支されている。また、係止部材１１の軸受け部１１１には、チルトプレート１０における駆動用アーム１０３の係止用フック１０３
ａと係合する係合部１１２、および係止片１１３が設けられている。係止片１１３の先端には、先端係合部１１３ａが形成されている。係止部材１１の係止片１１３には、スプリング１１４が装着されている。スプリング１１４は、アッパーケース２の内壁面と係止部材１１の係止片１１３との間に狭持されており、スプリング１１４の弾性力によって係止片１１３の先端係合部１１３ａを外筒６の外周面に押し付けている。また、スプリング１１４の弾性力が、係合部１１２を介してチルトプレート１０における駆動用アーム１０３に伝達されるようにして、チルトプレート１０をハウジングの第２収容部における下方に向かって常に付勢する構造としても良い。
【００６３】
なお、上記のようにロッドリターンプレート９およびチルトプレート１０は、ハウジングの第２収容部において上下方向にスライド自在に保持されている。そして、ロッドリターンプレート９は、第２収容部において上方に向かってバネ付勢されている一方、チルトプレート１０は、第２収容部において下方に向かって付勢されている。ここで、ロッドリターンプレート９の爪部９１およびチルトプレート１０の傾斜突部１０２がそれぞれ対応する操作用ロッド３２の後方に位置するようなチルトプレート１０およびロッドリターンプレート９のそれぞれの位置を、「第２基準位置」、「第３基準位置」と定義する（図３３を参照）。
【００６４】
＜解錠・施錠時の動作＞
［解錠時の動作］
次に、ボタン錠１００の解錠・施錠時における作動内容について詳しく説明する。まず、施錠されているボタン錠１００を解錠する際の動作について説明する。ボタン錠１００が施錠されている状態では、操作摘み４はＣＬＯＳＥ位置２６に合わせられている。また、後述するように、ボタン錠１００の施錠時には、全ての操作用ロッド３２が自動でクリアされ、押動されていない状態のクリア位置に戻される。なお、クリア位置に戻された操作用ロッド３２は、図３３に示すように、第１凹部対３２１ａ，３２１ａにロッドリターンプレート９の爪部９１が嵌合された状態（以下、「ロッド第１保持状態」という）となっている。また、図２７に示すように、ボタン錠１００が施錠状態にあるときには、アーム３６の回転ストッパー３６３が外筒６の外周突起片６３１に係止されることにより、操作摘み４の開操作が規制された状態となっている。また、図２７に示すように、ロッドリターンプレート９におけるリセット用アーム９５の先端に設けられた凸部９５ａは、外筒６の第１凹部６１１に受け入れられている。また、ガイドプレート制御アーム１４のフック部１４１が、外筒６の第１嵌合凹部６４１に嵌合している。また、ガイドプレート７は第１基準位置に配置され、チルトプレート１０は第２基準位置に配置され、ロッドリターンプレート９は第３基準位置に配置されている。すなわち、この状態において、ガイドプレート７のブロック収容孔部７１ａのそれぞれがミドルプレート８のブロック収容凹部８１と位置が重なった状態となり、且つ、ロッドリターンプレート９の爪部９１およびチルトプレート１０の傾斜突部１０２がそれぞれ対応する操作用ロッド３２と位置が合致した状態となっている。
【００６５】
この状態から、ボタン錠１００の解錠に際して、使用者は、設定されている解錠符号に則して押しボタン２２の押動操作を行う。ボタン錠１００の押しボタン２２が押されると、押された押しボタン２２に組み込まれた操作用ロッド３２がクリア位置から軸方向にスライドし、ハウジング内部に押し込まれる。以下、このときの操作用ロッド３２の位置を「押込み位置」という。クリア位置から押込み位置まで変位した操作用ロッド３２は、ロッドリターンプレート９の爪部９１が第２凹部対３２１ｂ，３２１ｂに嵌合された状態（以下、「ロッド第２保持状態」という）となる。また、ロッドリターンプレート９の爪部９１は、操作用ロッド３２が押込み位置に変位した際に当該操作用ロッド３２に形成された被係合部としての第２凹部対３２１ｂ，３２１ｂに係合する係合部の一例である。
【００６６】
操作用ロッド３２は、対応する押しボタン２２が押動された際にハウジング内に押し込まれることでクリア位置から押込み位置へと変位する。こうして、押しボタン２２の押動操作によって、押し込まれた押しボタン２２に対応する操作用ロッド３２のみがロッド第２保持状態となり、押されなかった押しボタン２２に対応する操作用ロッド３２はロッド第１保持状態に維持される（図３３を参照）。なお、ボタン錠１００の解錠時において、使用者による押し込まれた押しボタン２２は、常にボタンスプリング２２３によって押し上げられているため、使用者の指が離れた時点で、ボタン用開口部２１１に埋没した状態から外部に突出した状態へと移行する。なお、ボタンスプリング２２３の設置を備えないようにしても良い。この場合、使用者によって押し込まれた押しボタン２２は埋没した状態を維持する。これはボタン錠１００を解錠状態から施錠する際、施錠状態から解錠する際のいずれも同様であり、ボタン２２は押し込まれる都度、埋没状態を維持し、操作摘み４、またはクリアボタン２３を操作することで押しボタン２２の埋没状態が解除される。なお、図３３においては、各操作用ロッド３２に対応する押しボタン２２の図示を省略している。
【００６７】
ボタン錠１００は、解錠符号を任意に設定することができる構造となっている。解錠符号の設定方法については後述するが、ボタン錠１００は、解錠符号に対応する押しボタン２２に装着された操作用ロッド（以下、単に「解錠符号に対応する操作用ロッド」ともいう）３２と、解錠符号に対応しない押しボタン２２に装着された操作用ロッド（以下、単に「解錠符号に対応しない操作用ロッド」ともいう）３２とにおいて、操作用ロッド３２に対する可動ブロック３３の係合位置（保持位置）が異なっている。具体的には、解錠符号に対応しない操作用ロッド３２は第１保持位置に可動ブロック３３が保持され、解錠符号に対応する操作用ロッド３２は第２保持位置に可動ブロック３３が保持される。解錠符号に対応するか否かに応じた操作用ロッド３２に対する可動ブロック３３の保持位置の変更動作に関しては後述する。
【００６８】
上記のように、可動ブロック３３には凹部３３４が設けられており、凹部３３４はスライドロッド４０の突起部４３と相補的な形状を有している。図３３、３４等に示す状態では、全ての操作用ロッド３２がロッド第１保持状態にあり、かつ、第１保持位置に可動ブロック３３を装着している。操作用ロッド３２における可動ブロック３３の装着位置と、ロッドリターンプレート９の爪部９１による操作用ロッド３２の保持状態との関係について言及すると、まず、ロッド第１保持状態にある操作用ロッド３２は、可動ブロック３３を第１保持位置に装着した状態のときに、可動ブロック３３の凹部３３４とスライドロッド４０の突起部４３との位置が合致し、凹部３３４に突起部４３を嵌め込むことができる（図７、図３４を参照）。可動ブロック３３の凹部３３４は、本発明における被嵌合部に対応している。また、可動ブロック３３の凹部３３４に嵌合可能なスライドロッド４０の突起部４３が本発明における嵌合部に対応している。
【００６９】
また、本実施形態において、第１保持位置から第２保持位置に変更したときの操作用ロッド３２に対する可動ブロック３３の変位ずれ量は、操作用ロッド３２をロッド第１保持状態からロッド第２保持状態へ変更したときの操作用ロッド３２の相対移動量に一致するように調整されている。従って、図示はしないが、操作用ロッド３２がロッド第２保持状態にある場合には、可動ブロック３３を第１保持位置にではなく第２保持位置に装着することで、可動ブロック３３の凹部３３４とスライドロッド４０の突起部４３との位置が合致し、突起部４３をちょうど凹部３３４に嵌め込むことができる。
【００７０】
言い換えると、可動ブロック３３が第１保持位置に装着された操作用ロッド３２が第２保持状態にある場合、あるいは、可動ブロック３３が第２保持位置に装着された操作用ロッド３２が第１保持状態にある場合には、可動ブロック３３の凹部３３４とスライドロッド４０の突起部４３との位置が合致せず、前後方向にずれた状態となる。図３５は、可動
ブロック３３が第２保持位置に装着された操作用ロッド３２が第１保持状態にあるときの凹部３３４と突起部４３との相対関係を示す図である。可動ブロック３３の凹部３３４とスライドロッド４０の突起部４３とにおける相対位置がずれることで、突起部４３を凹部３３４に嵌め込む（収容する）ことができなくなる。この場合、スライドロッド４０における突起部４３の頂部が可動ブロック３３における凹部３３４の縁部と干渉するため、凹部３３４の深さだけ、突起部４３が下方に押し下げられる。更に、スライドロッド４０の突起部４３は、各腕部４２の先端に設けられており、各腕部４２は軸本体部４１を介して一体となっている。従って、スライドロッド４０における突起部４３のうちの一つでも可動ブロック３３の凹部３３４に対する相対位置がずれた場合には、可動ブロック３３の凹部３３４に対する相対位置がずれる前に比べてハウジング内において下方にスライドする。以下、可動ブロック３３が第１保持位置に装着された操作用ロッド３２が第１保持状態にあり、且つ、可動ブロック３３が第２保持位置に装着された操作用ロッド３２が第２保持状態にある場合のように、全ての操作用ロッド３２について可動ブロック３３の凹部３３４にスライドロッド４０の突起部４３が受け入れられた状態のときのスライドロッド４０の位置を「第４基準位置」と呼ぶ。また、スライドロッド４０における突起部４３のうちの一つでも可動ブロック３３の凹部３３４に対する相対位置がずれることで、スライドロッド４０が第４基準位置からハウジング内において下方にスライドしたときの位置を「解錠規制位置」と呼ぶ。
【００７１】
図３６に示す例では、符号Ａ〜Ｅで示す操作用ロッド３２のうち、Ｂ、Ｄが第２保持位置に可動ブロック３３が保持されており、Ａ、Ｃ、Ｅが第１保持位置に可動ブロック３３が保持されている。この図の例では、Ａ〜Ｅで示す操作用ロッド３２のうち、第２保持位置に可動ブロック３３が保持されたＢ、Ｄが解錠符号に対応する操作用ロッド３２であるのに対して、当該Ｂ、Ｄに係る操作用ロッド３２はいずれも押動されていない。従って、図示の例では、ボタン錠１００の押しボタン２２が解錠符号に揃っていない。また、図３６の例では、いずれの操作用ロッド３２も押動されていないため、Ａ〜Ｅの各操作用ロッド３２における可動ブロック３３は、ミドルプレート８のブロック収容凹部８１には挿入されておらず、図３６において不図示のガイドプレート７のブロック収容孔部７１ａに各可動ブロック３３が収容された状態となっている。なお、解錠符号に対応しないＡ、Ｃ、Ｅで示す操作用ロッド３２に対応する押しボタン２２が押し込まれた場合、Ａ、Ｃ、Ｅで示す操作用ロッド３２の押し込みに伴い、第１保持位置に装着された可動ブロック３３がガイドプレート７のブロック収容孔部７１ａとミドルプレート８のブロック収容凹部８１に跨るようにしてこれらに挿入される。一方、解錠符号に対応する操作用ロッド３２は可動ブロック３３が第２保持位置に保持されているため、解錠符号に対応する押しボタン２２が押し込まれた場合に、解錠符号に対応する操作用ロッド３２に装着された可動ブロック３３はミドルプレート８のブロック収容凹部８１に挿入されず、ガイドプレート７のブロック収容孔部７１ａのみに収容された状態となる。
【００７２】
このように、ボタン錠１００の押しボタン２２が解錠符号に揃っていない場合、少なくとも何れかの操作用ロッド３２に関して、可動ブロック３３の凹部３３４とスライドロッド４０の突起部４３とにおける位置が合致せず、スライドロッド４０が第４基準位置から下方に押し下げられることで解錠規制位置に変位した状態となる。そうすると、スライドロッド４０におけるアーム制御部４５がアーム３６の連結部３６２を押し下げる。図２２で説明したように、アーム３６は、アッパーケース２の回転軸３７に軸支されているため、アーム制御部４５によって押し下げられる連結部３６２とは逆に、回転ストッパー３６３が押し上げられる。その結果、アーム３６の回転ストッパー３６３が、外筒６の外周突起片６３１に係止され（図２７を参照）、外筒６の開方向（図２７でいうと、反時計廻り方向であり、操作摘み４の開操作方向と一致）への回動が規制される。そして、上述した非常解錠鍵やシリンダー交換鍵がシリンダー５の鍵穴５１に挿入されていない限り、シリンダー５と外筒６との相対回動は規制され、かつ、シリンダー５とこれに装着された操作
摘み４とは相対回動ができない構造となっている。そのため、ボタン錠１００の押しボタン２２が解錠符号に揃っていない場合、すなわち押しボタン２２が解錠符号に則して押動操作されていない場合は、アーム３６の回転ストッパー３６３が外筒６の外周突起片６３１に係止されることにより、操作摘み４の開操作を規制することができる。
【００７３】
なお、解錠符号に対応する押しボタン２２の全てが押動され、解錠符号に対応しない押しボタン２２が何れも押動されていない状態のときに、ボタン錠１００の押しボタン２２が解錠符号に揃った状態となる。この状態では、全ての操作用ロッド３２に関し、可動ブロック３３の凹部３３４とスライドロッド４０の突起部４３との相対位置が一致するため、可動ブロック３３との干渉に起因するスライドロッド４０の押し下げは起こらない。この場合、スライドロッド４０は、第１スプリング４５４および第２スプリング４５５の弾性力によって上方に付勢され、第４基準位置に維持される。その結果、図２２に示す状態のように、外筒６の外周突起片６３１の回転ストッパー３６３による係止が解除される。以上のように、外筒６の外周突起片６３１の係止が解除されることで、ボタン錠１００が内部機構的に解錠された状態となり、操作摘み４の開操作を行うことができる状態になる。
【００７４】
なお、ボタン錠１００の解錠時に、何れかの押しボタン２２が押されると、第２基準位置に配置されているチルトプレート１０の傾斜突部１０２と操作用ロッド３２の傾斜面３２５ａとが衝突し、チルトプレート１０が第２基準位置から上方にスライドすることで施錠規制解除位置に変位する。このようにしてチルトプレート１０が第２基準位置から施錠規制解除位置にスライドすると、駆動用アーム１０３の係止用フック１０３ａが係止部材１１の係合部１１２をリフトし、係止部材１１の係止片１１３が外筒６の外周面から離間する方向に係止部材１１を回転させる。その結果、外筒６の回転規制凹部６２１に嵌合していた係止部材１１の先端係合部１１３ａが回転規制凹部６２１から抜け出し、係止片１１３による回転規制凸部６２２の係止が解除される。
【００７５】
ボタン錠１００の押しボタン２２を解錠符号に揃え、外筒６の外周突起片６３１とアーム３６の回転ストッパー３６３との係合状態が解除されることでボタン錠１００を解錠した後、使用者は、操作摘み４の開操作を行う。ボタン錠１００は、操作摘み４の開操作を行う過程、即ち操作摘み４を開方向（反時計回り）へ回転させてゆく過程で、ガイドプレート制御アーム１４のフック部１４１が第１嵌合凹部６４１から抜け出し、第２嵌合凹部６４２に嵌合するようになる。例えば、操作摘み４が、ＣＬＯＳＥ位置２６とＯＰＥＮ位置２５との間の途中まで開操作された時点で、ガイドプレート制御アーム１４のフック部１４１が第１嵌合凹部６４１から抜け出し、第２嵌合凹部６４２に嵌合するように調整されている。このように、第１嵌合凹部６４１から第２嵌合凹部６４２に、ガイドプレート制御アーム１４のフック部１４１の嵌合位置が変化することに伴い、ガイドプレート制御アーム１４が下方に引き下げられる。ここで、ガイドプレート制御アーム１４の腕片１４３が、ガイドプレート７と連結されているため、ガイドプレート７は第１基準位置から下方にスライドする。以下、ガイドプレート制御アーム１４によってガイドプレート７が第１基準位置から下方にスライド移動させられた後の位置を「ブロック離脱位置」と呼ぶ。本実施形態におけるブロック離脱位置は、本発明における離脱位置に相当する。
【００７６】
上記のように、ガイドプレート７が第１基準位置からブロック離脱位置に変位すると、各操作用ロッド３２に対して装着されていた各可動ブロック３３の装着状態が解除され、操作用ロッド３２から可動ブロック３３が離脱する。これにより、図３７に示す状態のように、操作用ロッド３２に対する可動ブロック３３の嵌め合いが解除される。以上のように、ガイドプレート制御アーム１４は、操作摘み４の操作に連動してガイドプレート７の位置を第１基準位置とブロック離脱位置との何れかに切り替える。
【００７７】
また、上記操作摘み４の開操作に際して、ガイドプレート７が第１基準位置からブロック離脱位置に向けてのスライドを開始すると、ガイドプレート７のブロック収容孔部７１ａに収容されている可動ブロック３３もガイドプレート７に追従してスライドすることになる。その際、可動ブロック３３の凹部３３４に対してスライドロッド４０の突起部４３は嵌め合い状態にあるため、可動ブロック３３のスライド変位に連動して、スライドロッド４０も下方にスライドすることになる。すなわち、ガイドプレート７に連動して、スライドロッド４０が第４基準位置から解錠規制位置に向けてスライドを開始する。本実施形態におけるボタン錠１００は、操作摘み４の開操作に伴い、ガイドプレート制御アーム１４におけるフック部１４１の嵌合対象が第１嵌合凹部６４１から第２嵌合凹部６４２に切り替えられる時点で、既に、アーム３６における回転ストッパー３６３の先端部は外筒６の外周突起片６３１を乗り越え、例えば外周突起片６３１の外周面６３１ａ（図２６Ｂを参照）に回転ストッパー３６３の先端部が位置付けられている。従って、ボタン錠１００の解錠時において、操作摘み４の開操作に伴ってスライドロッド４０が第４基準位置から解錠規制位置に変位しても、アーム３６の回転ストッパー３６３が既に外筒６の外周突起片６３１を乗り越えているため、当該回転ストッパー３６３は外周面６３１ａに当接することとなり、操作摘み４の開操作をＯＰＥＮ位置２５まで続行することができる。
【００７８】
更に、操作摘み４の開操作が進行すると、ロッドリターンプレート９におけるリセット用アーム９５の先端に設けられた凸部９５ａが外筒６の第１凹部６１１から凹部間外周領域６１３に乗り上げる。その結果、リセット用アーム９５がハウジング内の下方に押し下げられることで、ロッドリターンプレート９が、第３基準位置から下方にスライドする。以下、ロッドリターンプレート９におけるリセット用アーム９５の凸部９５ａが外筒６の凹部間外周領域６１３に乗り上げることで、第３基準位置から下方にスライド移動させられた後の位置を「リセット位置」と呼ぶ。ロッドリターンプレート９が第３基準位置からリセット位置に変位すると、操作用ロッド３２の第１凹部対３２１ａ，３２１ａまたは第２凹部対３２１ｂ，３２１ｂに嵌合しているロッドリターンプレート９の爪部９１の嵌合状態が解除される。
【００７９】
操作摘み４の開操作に伴い、外筒６の第１凹部６１１から一旦凹部間外周領域６１３に乗り上げたリセット用アーム９５の凸部９５ａは、第２凹部６１２に受け入れられる。その結果、リセット用アーム９５はハウジング内における下方に押し下げられなくなるため、ロッドリターンプレート９はリターンスプリング９７によって上方に付勢され、リセット位置から第３基準位置にスライドする。
【００８０】
また、上記のようにロッドリターンプレート９の爪部９１による操作用ロッド３２の保持が解除されると、操作用ロッド３２はロッドスプリング３２４の弾性力によって前方、即ちハウジング外部に向けて引っ張られる。その結果、押動されていた操作用ロッド３２が所定のクリア位置に戻されることで操作用ロッド３２がリセットされる。なお、ロッドリターンプレート９の爪部９１による操作用ロッド３２の保持が解除されるまでは、解錠符号に対応する操作用ロッド３２のみが押し込まれているため、ここでは解錠符号に対応する操作用ロッド３２のみがクリア位置に戻されることになる（解錠符号に対応しない操作用ロッド３２は、元々クリア位置にある）。本実施形態においては、ロッドリターンプレート９を付勢するリターンスプリング９７が本発明におけるリセット手段に相当する。
【００８１】
上記のように、全ての操作用ロッド３２がクリア位置に戻されると、チルトプレート１０の傾斜突部１０２と操作用ロッド３２の傾斜面３２５ａとの干渉が無くなる。これにより、チルトプレート１０は重力（自重）によって施錠規制解除位置から第２基準位置に変位する。その結果、駆動用アーム１０３の係止用フック１０３ａによる係止部材１１の係合部１１２のリフトが解除される。その結果、スプリング１１４の弾性力によって、係止部材１１が外筒６に接近する方向に付勢される。そして、例えば開操作によって操作摘み
４がＯＰＥＮ位置２５まで到達した時点で、係止片１１３における先端係合部１１３ａが外筒６の回転規制凹部６２１に再び嵌合されると同時に、先端係合部１１３ａによって回転規制凸部６２２が係止される。その結果、操作摘み４の閉操作方向に対応する外筒６の閉方向への回転が規制される。
【００８２】
［解錠符号（暗証番号）の設定および施錠時の操作］
次に、ボタン錠１００を施錠する際の動作について説明する。本実施形態に係るボタン錠１００は、内部機構的に解錠状態、すなわち、押しボタン２２が解錠符号に揃った状態にあるボタン錠１００の操作摘み４をＯＰＥＮ位置２５からＣＬＯＳＥ位置２６に合わせる閉操作を行うことで、施錠される構造となっている。また、上記の通り、ボタン錠１００は、いわゆるワンタイム方式を採用しており、ボタン錠１００を施錠する際にはその都度、使用者は新たな解錠符号（暗証番号）を設定するために任意の押しボタン２２を押してから操作摘み４を閉操作することで施錠が行われる。言い換えると、本実施形態のボタン錠１００は、解錠後、解錠符号（暗証番号）を再設定した後でないと施錠できない構造を採用している。
【００８３】
上記のように、ボタン錠１００の解錠時に操作摘み４をＯＰＥＮ位置２５まで開操作した状態においては、係止部材１１における係止片１１３の先端係合部１１３ａによって回転規制凸部６２２が係止されることで、外筒６の閉方向への回転が規制されている。つまり、この状態では、操作摘み４の閉操作を行うことが制限される。つまり、操作摘み４の閉操作を行うためには、新たな解錠符号（暗証番号）を設定するために任意の押しボタン２２（操作用ロッド３２）を押操作する必要がある。
【００８４】
解錠符号（暗証番号）の設定時において、使用者によって押しボタン２２が押される前の状態において、ロッドリターンプレート９およびチルトプレート１０は、それぞれ第３基準位置および第２基準位置に配置されている（図３３を参照）。具体的には、ロッドリターンプレート９は、リターンスプリング９７の弾性力によって第３基準位置に維持されている。また、チルトプレート１０は、重力の作用（自重）によって第２基準位置に維持されている。
【００８５】
そして、使用者が新たな解錠符号（暗証番号）を設定するために任意の押しボタン２２を押すと、解錠符号に対応する操作用ロッド３２はロッド第２保持状態に移行し、解錠符号に対応しない操作用ロッド３２は第１保持状態のまま維持される。また、新たな解錠符号設定に伴い押しボタン２２が押されることで、押し込まれた押しボタン２２に対応する操作用ロッド３２の傾斜面３２５ａがチルトプレート１０の傾斜突部１０２と衝突する。その結果、チルトプレート１０が第２基準位置から上方の施錠規制解除位置にスライドすることで、駆動用アーム１０３の係止用フック１０３ａが係止部材１１の係合部１１２をリフトする。その結果、外筒６の回転規制凹部６２１に嵌合していた係止部材１１の先端係合部１１３ａが回転規制凹部６２１から抜け出し、先端係合部１１３ａによる回転規制凸部６２２の係止が解除される。これにより、操作摘み４の閉操作を行うことが可能な状態となる。
【００８６】
ここで、チルトプレート１０には、各操作用ロッド３２毎に対応して傾斜突部１０２が設けられているため、操作摘み４が開位置にある状態で何れかの操作用ロッド３２がクリア位置から押込み位置に変位した場合に、第２基準位置から施錠規制解除位置に変位する結果、係止部材１１（先端係合部１１３ａ）による外筒６（回転規制凸部６２２）の係止が解除されることとなり、その結果、操作摘み４の閉操作の規制を解除することができる。本実施形態においては、チルトプレート１０、および係止部材１１が本発明における第２規制手段を構成している。なお、新たな解錠符号の設定時は、操作用ロッド３２に対する可動ブロック３３の装着状態が解除され、操作用ロッド３２から可動ブロック３３が離
脱した状態で行われる。すなわち、ガイドプレート７が「ブロック離脱位置」に変位した状態で新たな解錠符号の設定が行われる。
【００８７】
また、本実施形態では、新たな解錠符号の設定に伴って使用者が任意の押しボタン２２を押した際、使用者の指が押しボタン２２から離れた時点で、ボタンスプリング２２３の弾性力によって押しボタン２２が押込み位置からクリア位置に復帰するが、上記のようにボタンスプリング２２３を設けないようにしても良い。これによれば、ボタン錠１００を施錠する度に新たな解錠符号の設定を使用者に要求するに際して、使用者が押し込んだ押しボタン２２を押込み位置に維持しておくことで、使用者が新たな解錠符号を意図しない解錠符号として誤認識して覚えてしまうことを抑制できる。勿論、本実施形態のように、ボタンスプリング２２３を設置し、新たな解錠符号の設定時に使用者の指が押し込んだ押しボタン２２から離れた時点で、その押しボタン２２を押込み位置からクリア位置に復帰させても良く、これによって新たな解錠符号が他人に盗み見されるリスクを減らすことができる。
【００８８】
次に、使用者が、解錠状態にあるボタン錠１００に対して、操作摘み４の閉操作を行うと、操作摘み４と一体となって、シリンダー５および外筒６が閉方向に回動する。操作摘み４の閉操作を行う過程で、ガイドプレート制御アーム１４のフック部１４１が第２嵌合凹部６４２から抜け出し、第１嵌合凹部６４１に嵌合するようになる。第２嵌合凹部６４２から第１嵌合凹部６４１に、ガイドプレート制御アーム１４のフック部１４１の嵌合位置が変化することに伴い、ガイドプレート制御アーム１４が上方に引き上げられ、ガイドプレート制御アーム１４に連結されているガイドプレート７がブロック離脱位置から第１基準位置に変位する。その際、ガイドプレート制御アーム１４のＶ型凸部１４２は、ガイドブロック１５のＶ型凹部１５２に嵌合されるため、ガイドプレート制御アーム１４の姿勢が安定する。これにより、ガイドプレート７を第１基準位置に安定して保持することができ、ガイドプレート７が不用意に第１基準位置からブロック離脱位置にスライドすることを抑制できる。そして、上記のようにガイドプレート制御アーム１４によってガイドプレート７がブロック離脱位置から第１基準位置まで変位させられることで、各操作用ロッド３２に対する各可動ブロック３３の離脱状態が解除され、操作用ロッド３２に可動ブロック３３が装着される。
【００８９】
例えば、解錠符号の設定時において、使用者が、「２」、「５」、「７」、「８」に対応する押しボタン２２を押動した場合、これらに対応する操作用ロッド３２がロッドリターンプレート９の爪部９１との関係でロッド第２保持状態となり、それ以外の操作用ロッド３２がロッド第１保持状態となる。この状態からガイドプレート７がブロック離脱位置から第１基準位置にスライドすることで、ロッド第２保持状態にある「２」、「５」、「７」、「８」に対応する操作用ロッド３２に対しては第２保持位置に可動ブロック３３が装着され、それ以外の操作用ロッド３２に対しては第１保持位置に可動ブロック３３が装着される。その際、解錠符号に対応する押しボタン２２の全てが押動され、解錠符号に対応しない押しボタン２２が何れも押動されていない状態となるため、各可動ブロック３３の凹部３３４に対してスライドロッド４０の各突起部４３が嵌め合い状態となることで、可動ブロック３３との干渉に起因するスライドロッド４０の押し下げは起こらない。その結果、スライドロッド４０は、第１スプリング４５４および第２スプリング４５５の弾性力によって上方に付勢され、解錠規制位置から第４基準位置に切り替えられる。
【００９０】
更に、操作摘み４をＣＬＯＳＥ位置２６に向けて回転させると、外筒６の第２凹部６１２に嵌合されていたロッドリターンプレート９におけるリセット用アーム９５の凸部９５ａが、第２凹部６１２から凹部間外周領域６１３に乗り上げる。その結果、リセット用アーム９５がハウジング内の下方に押し下げられることで、ロッドリターンプレート９が、第３基準位置から下方にスライドし、リセット位置に変位する。これにより、操作用ロッ
ド３２の第１凹部対３２１ａ，３２１ａまたは第２凹部対３２１ｂ，３２１ｂに嵌合しているロッドリターンプレート９の爪部９１の嵌合状態が解除される。そして、操作摘み４の閉操作に伴い、外筒６の第２凹部６１２から一旦凹部間外周領域６１３に乗り上げたリセット用アーム９５の凸部９５ａは、第１凹部６１１に受け入れられる。その結果、リセット用アーム９５はハウジング内における下方に押し下げられなくなるため、ロッドリターンプレート９はリターンスプリング９７によって上方に付勢され、リセット位置から第３基準位置に戻る。
【００９１】
上記のようにロッドリターンプレート９が一旦リセット位置に変位することで、爪部９１による操作用ロッド３２の保持が解除されると、操作用ロッド３２はロッドスプリング３２４の弾性力によって前方、即ちハウジング外部に向けて引っ張られる。その結果、押動されていた操作用ロッド３２が所定のクリア位置に戻されることで操作用ロッド３２がリセットされる。なお、ロッドリターンプレート９の爪部９１による操作用ロッド３２の保持が解除されるまでは、解錠符号に対応する操作用ロッド３２のみが押し込まれているため、ここでは解錠符号に対応する操作用ロッド３２のみがクリア位置に戻されることになる（解錠符号に対応しない操作用ロッド３２は、元々クリア位置にある）。これにより、新たな解錠符号の設定が確定（完了）する。なお、上記のようにボタン錠１００がボタンスプリング２２３を設置しない場合には、操作用ロッド３２がリセットされるタイミングで、クリア位置に押し戻される操作用ロッド３２の頭部３２３が押しボタン２２に衝突し、押しボタン２２が押込み位置からクリア位置に復帰させられることになる。なお、本実施形態では、操作用ロッド３２の頭部３２３が押しボタン２２に嵌合されていても良い。
【００９２】
また、上記のように、全ての操作用ロッド３２がクリア位置に戻されると、チルトプレート１０の傾斜突部１０２と操作用ロッド３２の傾斜面３２５ａとの干渉が無くなる。これにより、チルトプレート１０が重力（自重）によって、施錠規制解除位置から第２基準位置に変位する。その結果、駆動用アーム１０３の係止用フック１０３ａによる係止部材１１の係合部１１２のリフトが解除される。その結果、スプリング１１４の弾性力によって、係止部材１１が外筒６に接近する方向に付勢される。その結果、駆動用アーム１０３の係止用フック１０３ａによる係止部材１１の係合部１１２のリフトが解除される。そのため、それ以降、操作摘み４がＣＬＯＳＥ位置２６に至るまでの間は、スプリング１１４の付勢力によって係止部材１１の先端係合部１１３ａが外筒６の外周面を摺接することになる。
【００９３】
また、上記のようにロッドリターンプレート９によって操作用ロッド３２のリセットが行われると、ボタン錠１００の押しボタン２２が解錠符号に揃っていない状態となる。つまり、全ての操作用ロッド３２が第１保持状態となるため、解錠符号に対応する操作用ロッド３２に関して、図３５に示したように可動ブロック３３の凹部３３４の位置とスライドロッド４０の突起部４３の位置が互いにずれた状態となり、スライドロッド４０が第４基準位置から解錠規制位置にスライドする。その結果、スライドロッド４０におけるアーム制御部４５によってアーム３６の姿勢が変更され、その回転ストッパー３６３が押し上げられることで外筒６の外周突起片６３１に係止される。その結果、外筒６の開方向への回動が規制されるようになり、操作摘み４の開操作が制限されるようになる。つまり、操作摘み４の位置がＣＬＯＳＥ位置２６に至った後は、操作摘み４の開方向への回動ができなくなることで、ボタン錠１００の内部機構的な施錠が完了する。また、操作摘み４、シリンダー５、ストッパーＳＰは一体となっているため、操作摘み４を閉操作によってＣＬＯＳＥ位置２６まで回転することで、ストッパーＳＰが係止位置まで回転する。これにより、ストッパーＳＰが施錠対象物の相手側部材に係止されることで、外部機構的にもボタン錠１００の施錠が完了する。本実施形態においては、スライドロッド４０およびアーム３６が本発明における第１規制手段を構成する。
【００９４】
以上のように、本実施形態におけるボタン錠１００によれば、操作用ロッド３２に対する可動ブロック３３の装着位置を変更することで、解錠符号の設定を自由に変更することができる。
【００９５】
また、従来のボタン錠においては、押しボタンが設けられていない背面側に、各押しボタンに対応する操作スイッチが設けられており、この操作スイッチを切り替え操作することで、解錠符号の設定を変更する構造が採用されている場合が多い。このような従来方式による解錠符号の設定変更機構では、例えばボタン錠を引き出し等に適用した場合などのように、背面を視認しにくい箇所にボタン錠を設置した場合、解錠符号の設定変更作業が行いにくいという課題がある。このように、従来のボタン錠では、ボタン錠の設置条件次第では、解錠符号の設定変更を行うための操作スイッチを視認しにくい状態で操作せざるを得ないため、使用者の意図通りに新たな解錠符号が設定されない設定ミス（エラー）を招く虞がある。これに対して、本実施形態に係るボタン錠１００によれば、ボタン錠１００の正面側から、押しボタン２２の押動操作によって解錠符号を設定することができるため、解錠符号の設定変更作業の作業性を従来に比べて向上させることが可能であり、かつ、より確実に新たな解錠符号を使用者が意図した符号に変更することができる。つまり、解錠符号の設定ミスが起こることを好適に抑制することができる。
【００９６】
そして、本実施形態におけるボタン錠１００は、いわゆるワンタイム方式を採用し、ボタン錠１００を施錠する都度、使用者は新たな解錠符号（暗証番号）を設定する。ボタン錠１００は、施錠時に、何れかの押しボタン２２を押して新たな解錠符号（暗証番号）を設定しない限り、施錠ができない構造を採用した。これにより、新たな解錠符号（暗証番号）が未設定の状態での操作摘み４の閉操作を規制するようにした。これにより、使用者が解錠符号とする任意の押しボタン２２を押したつもりが、正しく押し込みが行われなかった場合や、押しボタン２２の押し忘れがあった場合に、内部機構的に正しい施錠がなされない状態のまま操作摘み４をＣＬＯＳＥ位置２６まで回転させ、表示窓２４に施錠状態を表す表示がなされてしまうことを抑制することができる。これにより、解錠符号（暗証番号）に則したボタン操作を行うことなく第３者が勝手に操作摘み４を開操作してしまうことを抑制できる。
【００９７】
なお、本実施形態において、使用者が解錠符号を忘れた時などの際に検索ピン３４を用いた解錠符号の検索作業は、例えば非常解錠鍵を用いてボタン錠１００を強制的に解錠した状態で行われる。解錠符号の検索作業は、ボタン錠１００の非常解錠が完了して、ストッパーＳＰを係止位置から離脱位置へと回転させた後、ボタン錠１００における全ての押しボタン２２を押すことで実現される。このように押しボタン２２が押されると、操作用ロッド３２も連動して押し込まれる。その際、操作用ロッド３２に装着された状態の可動ブロック３３も、ガイドプレート７のブロック収容孔部７１ａ内を、ミドルプレート８に近づく方向へ相対移動する。
【００９８】
図３８および図３９は、検索ピン３４の詳細を説明する図である。検索ピン３４は、円柱状のピン本体部３４１と、このピン本体部３４１の途中に設けられるとともに該ピン本体部３４１の側方に向けて突出する第１係止片３４２と、第１係止片３４２と所定寸法だけ離間するようにしてピン本体部３４１の側方に向けて突出する第２係止片３４４を有する。第２係止片３４４は、第１係止片３４２に比べて検索ピン３４の基端側の位置に設けられている。検索ピン３４の第１係止片３４２および第２係止片３４４は、互いに対向する対向面３４２ａ，３４４ａを有しており、図３９に示すように、各対向面３４２ａ，３４４ａの間には、可動ブロック３３が挟み込まれており、これによって、可動ブロック３３の前端面３３ｂおよび後端面３３ａを、検索ピン３４における第２係止片３４４および第１係止片３４２との間に挟み込むようにして、検索ピン３４が可動ブロック３３に装着
されている。そして、可動ブロック３３は、上記の通り操作用ロッド３２に取り付けられているため、押しボタン２２の押込み操作に連動して操作用ロッド３２がスライド動作すると、検索ピン３４も連動してスライドするようになっている。
【００９９】
ここで、解錠符号に対応する操作用ロッド３２には第２保持位置に可動ブロック３３が装着され、その他の操作用ロッド３２には第１保持位置に可動ブロック３３に装着されているため、使用者が押しボタン２２を押し込んだ際、解錠符号に対応しない操作用ロッド３２に装着される可動ブロック３３の方が、解錠符号に対応する操作用ロッド３２に装着される可動ブロック３３よりも、ボタン錠１００の背面側に変位する。従って、解錠符号に対応していない操作用ロッド３２に装着された可動ブロック３３と係合する検索ピン３４は、解錠符号に対応する操作用ロッド３２に装着された可動ブロック３３と係合する検索ピン３４よりも、ボタン錠１００の背面側に位置することになる。
【０１００】
ここで、検索ピン３４の長さは、解錠符号に対応しない検索ピン３４におけるピン本体部３４１の先端部がボタン錠１００の背面に設けられたピン挿通孔３０５（図２を参照）からハウジングの外部に突出し、解錠符号に対応する検索ピン３４におけるピン本体部３４１の先端部が上記ピン挿通孔３０５から外部に突出しないような長さに調整されている。ここで、ロアケース３の外面における各ピン挿通孔３０５の近傍には、そのピン挿通孔３０５が何れの押しボタン２２に対応しているかを表す「０」〜「９」、「※」のマーク（図示せず）が表示されている。従って、解錠符号の検索作業時において、使用者によって全ての押しボタン２２が押し込まれると、解錠符号に対応しない検索ピン３４におけるピン本体部３４１の先端のみが、ボタン錠１００における背面のピン挿通孔３０５から先端部が突出するため、ピン挿通孔３０５から突出する検索ピン３４に基づいて何れの押しボタン２２が解錠符号に対応するものかを判別することができる。これにより、使用者は、解錠符号を検索することができる。
【０１０１】
なお、本実施形態に係るプッシュボタン錠は、本発明の要旨を逸脱しない範囲内で種々の変更を加えることができる。
【符号の説明】
【０１０２】
２・・・アッパーケース
３・・・ロアケース
４・・・操作摘み
５・・・シリンダー
６・・・外筒
７・・・ガイドプレート
８・・・ミドルプレート
９・・・ロッドリターンプレート
１０・・・チルトプレート
１００・・・ボタン錠
【図１】
2018096176.tif 000003
【図２】
2018096176.tif 000004
【図３】
2018096176.tif 000005
【図４】
2018096176.tif 000006
【図５】
2018096176.tif 000007
【図６】
2018096176.tif 000008
【図７】
2018096176.tif 000009
【図８】
2018096176.tif 000010
【図９】
2018096176.tif 000011
【図１０】
2018096176.tif 000012
【図１１】
2018096176.tif 000013
【図１２】
2018096176.tif 000014
【図１３】
2018096176.tif 000015
【図１４】
2018096176.tif 000016
【図１５】
2018096176.tif 000017
【図１６】
2018096176.tif 000018
【図１７】
2018096176.tif 000019
【図１８】
2018096176.tif 000020
【図１９】
2018096176.tif 000021
【図２０】
2018096176.tif 000022
【図２１】
2018096176.tif 000023
【図２２】
2018096176.tif 000024
【図２３】
2018096176.tif 000025
【図２４】
2018096176.tif 000026
【図２５】
2018096176.tif 000027
【図２６Ａ】
2018096176.tif 000028
【図２６Ｂ】
2018096176.tif 000029
【図２７】
2018096176.tif 000030
【図２８】
2018096176.tif 000031
【図２９】
2018096176.tif 000032
【図３０】
2018096176.tif 000033
【図３１】
2018096176.tif 000034
【図３２】
2018096176.tif 000035
【図３３】
2018096176.tif 000036
【図３４】
2018096176.tif 000037
【図３５】
2018096176.tif 000038
【図３６】
2018096176.tif 000039
【図３７】
2018096176.tif 000040
【図３８】
2018096176.tif 000041
【図３９】
2018096176.tif 000042